(57)【要約】【課題】電子制御装置２と、それに付属する独立型スクリーン３とを有するビデオ装置の収納ケース。【解決手段】この収納ケースは電子制御装置２とその付属スクリーン３をそれぞれ収容する収納部４、５を有し、さらに、スクリーン３を収容する収納部５の外側表面を座席のヘッドレストの背面にしっかりと保持させる手段を備えている。この保持手段は単一ブロックのヘッドレスト保護カバー２０等の固定システムから成る。【選択図】  図１
2004231158.tif 000002
【特許請求の範囲】
【請求項１】
スクリーン（３）を収容する収納部（５；４６、４７）と、電子制御装置（２）を収容する収納部（４；４６、４７）とを有し、座席の背面に取り付けられるビデオリーダまたはゲーム機等の電子制御装置（２）とそれに付属する独立スクリーン（３）とから成るビデオ機器の収納ケースであって、収納ケースを開けたときにスクリーン（３）を見ることができるようになっている収納ケースにおいて、
スクリーン（３）を収容する収納部（５；４６、４７）の外側表面を座席のヘッドレスト部分の背面にしっかりと保持する固定システム（２０；３０；４０、４１；５３）を有することを特徴とする収納ケース。
【請求項２】
座席のヘッドレスト部分の背面を締付けるストラップシステム（３０）をさらに有する請求項１に記載のケース。
【請求項３】
固定システムが自己定着型バンド（４０、４１）構造物から成り、この自己定着型バンド構造物の一方は収納ケースの対応する面に取り付けられ、その他方は座席のヘッドレスト部分の背面に取り付けられている請求項１に記載の収納ケース。
【請求項４】
固定システムがヘッドレストの保護カバー（２０、５３）から成る請求項１に記載の収納ケース。
【請求項５】
電子制御装置（２）の収納部（４）とスクリーン（３）の収納部（５）との２つの独立した収納部を有し、これら２つの収納部（４、５）は蝶番システム（６）を介して互いに連結され、閉位置でロックする手段（８）を有する、請求項１〜４のいずれか一項に記載の収納ケース。
【請求項６】
スクリーンの収納部（５）が、両方の収納部を分離するための着脱自在な結合手段（７）を介して電子制御装置の収納部（４）と一体化されている請求項５に記載の収納ケース。
【請求項７】
電子制御装置（２）とそれに隣接した付属のスクリーン（３）とを収容するための単一の収容空間を形成する互いに並んだ２つの収納部（４６、４７）を有する請求項１〜４のいずれか一項に記載の収納ケース。
【請求項８】
少なくとも１つの電源ソケット（１０）と、それから延びたスクリーン（３）および電子制御装置（２）へ接続される内部電源ケーブルと、電子制御装置とスクリーンとの間のオーディオ／ビデオ接続用内部ケーブルシステムとを有する請求項１〜７のいずれか一項に記載の収納ケース。
【請求項９】
スクリーン（３）および電子制御装置（２）を着脱自在に保持する手段を備えたスクリーン（３）および／または電子制御装置（２）の収納部（４；５；４６、４７）を有する請求項１〜８のいずれか一項に記載の収納ケース。
【請求項１０】
固定システム（２０；３０；４０、４１；５３）を埋込むための反対側ポケット（２５）を有する請求項１〜９のいずれか一項に記載の収納ケース。
【請求項１１】
スクリーン（３）および電子制御装置（２）が収納部内に配置され、電源ソケットを自動車の電源またはライターのソケットに接続するための少なくとも１本の電源ケーブルがケースに組み込まれている請求項１〜９のいずれか一項に記載の収納ケースを有するビデオ機器。
【発明の詳細な説明】
【０００１】
【発明の属する技術分野】
本発明は、ＤＶＤ、ＳＶＣＤ、ＶＣＤリーダ、ゲーム機（プレーステーション）等の電子制御装置と、それに付属する液晶ディスプレー、ＣＲＴ、プラズマスクリーン等の独立型スクリーンとから成るビデオセットを収容するための、座席背面に取付けることが可能なアタッシェケース型またはバッグ型のケースに関するものである。
本発明はさらに、電子制御装置と，それに付属するスクリーンとを備えたアタッシュケースまたはバッグを有するビデオ機器に関するものである。
【０００２】
【従来の技術】
ビデオセットを収容する従来のアタッシェケース型またはバッグ型構造物は２つの収納部から成り、閉位置にロックする手段が備えられている。一方の収納部はアタッシェケースが開位置にある時にビデオスクリーンが正面から見えるようにビデオスクリーンを収容し、他方の収納部は付属する電子制御装置を収容するようになっている。このアタッシェケースは電子制御装置およびスクリーンを電源に接続する手段と、電子制御装置とスクリーンとの間のオーディオ／ビデオ接続手段とを有している。
座席と一体になった上記形式の携帯用構造物では、ビデオスクリーンが座席の背もたれ部分の背面にくる。この位置では視野が制限されるため、スクリーンをヘッドレスト部分の背面に配置し且つスクリーンを収容するケースを有する構造物が開発されている。
【０００３】
しかし、この構造物ではユーザがスクリーンを自分でケースまたはバッグ構造物から取り出さなければならない。また、外部ケーブルをセットしてスクリーンに給電し、外部にあるスクリーンとケースまたはバッグ構造物中にある電子制御装置との間のオーディオ／ビデオ接続をしなければならない。
【０００４】
【発明が解決しようとする課題】
本発明の目的は、上記の欠点を克服して、追加の収納構造物無しに最適な視覚を得ることができる座席のヘッドレスト部分に直接取り付けられるアタッシュケースまたはバッグ形の収納構造物を提供することにある。
【０００５】
【課題を解決するための手段】
本発明のビデオ機器収納ケースは、ビデオスクリーンを収容する部分の外側表面が座席のヘッドレスト部分の背面にしっかりと保持される固定システムを有する点に特徴がある。
【０００６】
【発明の実施の形態】
「固定システム」とは、収納ケースを座席のヘッドレストの背面に着脱自在に連結可能な任意の手段を意味する。この固定システムはケースと一体（モノブロック）にすることができるが、ケースに固定システムを追加してもよい。
【０００７】
本発明の一つの実施例では、座席のヘッドレスト部分の周りに水平または垂直に付けることができるストラップシステムをケースが有している。
本発明の別の実施例では、自己定着型のバンド（ｓｅｌｆ−ｇｒｉｐｐｉｎｇ  ｂａｎｄ）構造物から成る保持手段が収納ケースに取り付けられる。この保持手段の一方はスクリーンを収容する部分の外側表面に設けられ、その他方は座席のヘッドレスト部分の背面に設けられる。
本発明のさらに他の実施例では、座席のヘッドレスト部分にケースを保持する手段が座席のヘッドレスト部分の保護カバーから成る。
本発明のさらに他の実施例では、ケースが蝶番システムを介して互いに連結された２つの独立した収納部から成る。この各収納部は閉位置にある時（すなわち外周辺を介して互いに接触した時）にロックできる着脱自在な手段と一体になっている。この実施例ではケースはクリーンを収容する第１の収納部を有し、この第１の収納部は着脱自在な結合手段を介して電子制御装置を収容する第２部分に連結されている。両方の収納部は結合手段を介して互いに分離することができる。
【０００８】
本発明のさらに他の実施例では、ケースが互いに並んだ２つ収納部を有し、この２つ収納部は電子制御装置とそれに付属するスクリーンを収容する単一の収容空間を形成する。
本発明のさらに他の実施例では、ケースが少なくとも１つの電源ソケットと、そこらか延びたスクリーンと電子制御装置とを接続する内部電源ケーブルと、電子制御装置およびスクリーンのオーディオ／ビデオ接続用内部ケーブルシステムとを有している。
本発明のさらに他の実施例では、スクリーンおよび／または電子制御装置を着脱自在に保持する手段を有するスクリーンおよび／または電子制御装置を収容する少なくとも１つの収納部をケースが有する。
【０００９】
本発明はさらに、上記定義のケースを有するビデオ機器に関するものである。ケースの一方の収納部内にはスクリーンが配置され、他方の収納部内には電子制御装置が挿入される。このケースにはさらに、電源ソケット、特に自動車の電源またはライターのソケットに連結する少なくとも１本の電源ケーブルと、各種の付属品、例えば遠隔制御装置またはオーディオのヘッドホン等が組み込まれている。
以下、添付図面を用いて本発明の実施例を説明するが、下記実施例は本発明の単なる例示であり、本発明が下記実施例に限定されるものではない。
【００１０】
【実施例】
図１〜５に図示されたケースまたはバッグには電子制御装置２（本明細書ではＤＶＤリーダの形をしている）とその付属スクリーン３を詰め込むことができ、さらに、これらリーダ２とスクリーン３との間を連結してビデオＤＶＤを見るための内部ケーブルが組み込まれている。
アタッシュケースまたはバッグ１は全体の形が平行六面体の２つの互いに独立した収納部４、５を有している。これらの収納部４、５は蝶番システム６によって底部で互いに連結されている。本発明の一実施例では両方の収納部４、５を互いに分離可能な状態で着脱自在に連結できるようにするために蝶番システム６はジッパー７になっている（図２参照）。
【００１１】
各収納部４、５の残りの外周辺（すなわち側面および前面）にもジッパー８が設けられている。このジッパー８は２つの収納部４、５が閉位置にある時（すなわち収納部４と５が外周辺で互いに接触する時）に両者を分離可能な状態で着脱自在に連結する。２つの収納部４、５の外側は例えば繊維、プラスチックまたは皮革等の柔軟な材料で作ることができる。
【００１２】
アタッシュケース１に握り取っ手９を取り付けることもできる。この取っ手は正面部分（すなわち蝶番６の反対側）に設ける。図示した実施例ではスクリーン３を収容するための収納部５に取っ手９が設けられている。収納部４の内側表面はＤＶＤリーダ型の電子制御装置を収容するように作られ、収納部５の内側表面はスクリーン３を収容するように作られている。
【００１３】
すなわち、収納部４、５には制御装置２およびスクリーン３を所望位置に維持するための周知の手段が組み込まれていて、アタッシュケースが開位置（［図２］）にある時に両方の電子装置２、３が正面が見えるようになっている。例えば、電子装置２、３を各収納部に着脱自在にロックするラッチ部材を各装置２、３に設けることができる。電子装置、例えばビデオ機器２、３を互いに接続する電気ケーブル（図示せず）はケース１の構造物中に組み込まれている。
【００１４】
［図１］および［図２］では電源ソケット１０がアタッシュケースの外被に固定されている。図示した実施例では電源ソケット１０が収納部４に固定されている。この電源ソケット１０を用いることによって、着脱自在なプラグを備えた適当な接続ケーブルを介して、ビデオ機器を自動車の電源またはシガーライターに接続することができる。この接続ソケット１０からはＤＶＤリーダおよびその付属スクリーンに給電する一体型ケーブルが延びている。リーダ２およびスクリーン３はオーディオ／ビデオ接続用の別のケーブルにも接続されている。
【００１５】
アタッシュケースはさらに、スクリーン３を収容した収納部５の外側表面を座席１６の背面（特に自動車の座席のヘッドレスト部分１５）にしっかりと保持するための手段を有している。［図１］および［図２］に示した実施例ではこの保持手段は座席１６のヘッドレスト部分１５を被った保護カバー２０の形式の固定装置になっている。
【００１６】
このヘッドレストカバー形の構造物２０は収納部５の外側表面とモノブロック（一体）になるように作られており、例えば収納部５の外側表面に作られた反対側ポケット２５（例えばアコーディオン式ポケット）の中に入れ、閉鎖フラップ２６で閉じることができる。このポケット２５はジッパー２７式に開けることができ、閉鎖フラップ２６を収納部５の外側表面から分離することができる。ジッパー２７は閉鎖フラップ２６の３つの辺に沿って延びている。
【００１７】
閉鎖フラップ２６を例えば硬いフレームを有しない柔軟な材料で作って、カバー２０をヘッドレストに取り付けた時にカバー２０中に折り畳めるようにすることもできる。本発明ケースは開位置（図２）でヘッドレスト１５に取り付けた時にスクリーン３と収納部５とを分離したり、収納部４、５を互いに分離したりせずに、スクリーン３を広い視野から見ることができる。
【００１８】
［図３］固定システムを垂直ストラップ型にした本発明ケースの別の実施例を示している。この実施例ではケースの収納部５の外側表面上に座席１６のヘッドレスト部分１５を垂直に締め付ける２本のストラップ３０が取り付けられている。各ストラップシ３０は２本のストラップ部分３１、３２から成る。このストラップ部分３１の自由端にはバックル３３が取り付けられ、ストラップ部分３２の自由端部にはストラップ部分３２をバックル３３に固定するための自己締付け型のバンド３５が取り付けられている。
【００１９】
このストラップ固定システムはストラップ部分３２に設けた自己締付け型バンド３５を用いることによって締付け度を調整することができ、ケースを各種寸法のヘッドレストに合せることができる。上記の実施例と同様に、このストラップシステム３０もケースの収納部５の外側表面上に設けた反対側ポケット２５中に詰め込むことができる。
さらに別の実施例では、一部がケース外側に作られ、一部が座席のヘッドレスト部分の背面に作られた自己締付け型のバンド構造から成る固定システムをケースに取り付ける。
【００２０】
［図４］に示す実施例では、自己定着型のバンド構造物４０が収納部５の外側表面に設けられている。このバンド構造物４０は反対側ポケット２５に配置させることができ、反対側ポケット２５が無い場合には収納部５の外側表面上に直接配置することができる。座席１６のヘッドレスト部分１５の外側表面には反対側の自己定着型バンド構造物４１が設けられている。この構造物４１は接着剤、縫製、その他の方法でヘッドレスト１５の保護カバーと直接一体化するか、着脱自在なヘッドレストカバーを用いてヘッドレスト部分１５に取り付けることができる。
【００２１】
［図５］は単一の収容空間を形成する２つの互いに並んだ収納部を有する本発明の別の形式のアタッシュケース４５を示す。このアタッシュケース４５はスクリーン２と制御装置３が互いに隣りあったビデオ機器を収容するのに適している。このビデオ機器２、３はモノブロック（単一）の組立体であり、制御装置２とスクリーン３が一体型蝶番システムで連結されている。このアタッシュケース４５は底部４６と側壁４７とから成り、柔軟な素材、例えば繊維または合成材料で作られる。側壁４７はその内側表面上に硬質ベルトを当接させて補強することができる。
【００２２】
アタッシュケース４５はさらに、それを閉じてビデオ機器へのアクセスを防止するためのフラップ４８を有している。フラップ４８の３辺にはジッパー４９が取り付けられており、側壁４７の上側３辺の外周にはジッパーの反対側システム５０が設けられている。ジッパーが付いていない残りの１辺５１は蓋４８と自由な側壁４７との間の蝶番を形成している。
【００２３】
ビデオ機器２、３は任意の適当な手段でケース４５内に保持される。そのために底部４６の内側表面に自己定着型バンドシステムを取り付け、制御装置２の背面にはそれと係合する反対側バンドを取り付ける。スクリーン３の上端部を締付けるゴムバンド５２をケース４５に設けることもできる。そうすることでビデオ機器２、３をケース４５から迅速に取付け、取外しすることができる。
【００２４】
本発明では、座席のヘッドレストの背面に底部４６の外側表面をしっかりと保持できる固定システムをケース４５が有している。本発明ではこの固定システムはヘッドレストの保護カバー構造物５３である。この保護カバー構造物５３は任意の適当な手段、特に縫製または接着剤等によって底部４６の外側表面と一体化される。
【００２５】
本発明の上記ケースは電子制御装置とその付属スクリーンを収容でき、収容されたビデオ機器は電源のある任意の場所で用いることができる。本発明ケースの固定システムは、ユーザの頭が当接するモノブロックの座席の上側部分で用いることもできる。
【図面の簡単な説明】
【図１】座席のヘッドレスト部分の保護カバー型固定システムを有する本発明のアタッシュケースまたはバッグの投影図で、図は閉位置を表している。
【図２】図１に示したケースを別の角度から見たときの開位置での投影図。
【図３】ストラップ型固定システムを有する本発明ケースの投影図。
【図４】座席のヘッドレスト部分の背面に設けた自己定着型バンド式固定システムと一緒に用いられる反対側自己定着型バンド式固定システムを有する本発明ケースの概念図。
【図５】座席のヘッドレスト部分に取付けるカバーを備えた異なるケース構造物の投影図。
【符号の説明】
１  アタッシュケースまたはバッグ
２  電子制御装置
３  スクリーン
４、５  収納部
６  蝶番システム
７、８  ジッパー
１０  電源ソケット
【図１】
2004231158.tif 000003
【図２】
2004231158.tif 000004
【図３】
2004231158.tif 000005
【図４】
2004231158.tif 000006
【図５】
2004231158.tif 000007
【外国語明細書】
2004231158.tif 000008
2004231158.tif 000009
2004231158.tif 000010
2004231158.tif 000011
2004231158.tif 000012
2004231158.tif 000013
2004231158.tif 000014
2004231158.tif 000015
2004231158.tif 000016
2004231158.tif 000017
2004231158.tif 000018
2004231158.tif 000019
2004231158.tif 000020
2004231158.tif 000021
2004231158.tif 000022
2004231158.tif 000023
2004231158.tif 000024
2004231158.tif 000025
2004231158.tif 000026
2004231158.tif 000027